(57)【特許請求の範囲】
【請求項１】
ネットワークを介して情報入出力処理が開始されたときには、放送番組に代えて前記情報入出力処理に関する画像や音声の出力を行うと共に、前記放送番組から広告番組部分を除いて記録媒体に記録するものとし、
前記情報入出力処理が終了したときには、前記記録媒体に記録した番組を再生して出力すると共に、該記録した番組の再生が完了したときには、出力する番組を前記記録した番組から前記放送番組に切り換える
ことを特徴とするネットワーク利用時の番組出力方法。
【請求項２】
前記出力する番組を前記記録した番組から前記放送番組に切り換えたときに、前記放送番組の広告番組部分が終了するまで予め設定した静止画像を出力する
ことを特徴とする請求項１記載のネットワーク利用時の番組出力方法。
【請求項３】
前記出力する番組を前記記録した番組から前記放送番組に切り換えたときに、前記放送番組の広告番組部分が終了するまで、前記記録した番組の再生完了時の画像を出力する
ことを特徴とする請求項１記載のネットワーク利用時の番組出力方法。
【請求項４】
放送信号を受信して番組信号を得る受信手段と、
ネットワークとの接続を行うネットワーク接続手段と、
前記番組信号から広告番組部分を除いて記録すると共に、記録された番組信号を再生する信号記録再生手段と、
番組出力を行う出力手段と、
前記出力手段に供給する信号の切り換えを行う信号切換手段と、
前記ネットワーク接続手段と前記信号記録再生手段と前記信号切換手段の動作を制御する制御手段とを有し、
前記制御手段では、前記ネットワーク接続手段を用いて情報入出力処理を開始したとき、前記信号切換手段によって、前記受信手段で得られた番組信号に代えて前記情報入出力処理に関する画像や音声の出力用信号を前記出力手段に供給すると共に、前記信号記録再生手段によって前記受信手段で得られた番組信号を記録するものとし、前記情報入出力処理が終了したとき、前記信号記録再生手段によって記録した番組信号を再生すると共に、該再生された番組信号を前記信号切換手段によって前記出力手段に供給すると共に、該記録した番組信号の再生が完了したときには、前記受信手段で得られた番組信号を前記信号切換手段によって前記出力手段に供給する
ことを特徴とするネットワーク接続機能を有した受信装置。
【請求項５】
前記制御手段では、前記受信手段で得られた番組信号を前記信号切換手段によって前記出力手段に供給するとき、前記受信手段で得られた番組信号が広告番組部分の終了となるまで、予め設定した静止画像信号を番組信号として前記出力手段に供給する
ことを特徴とする請求項４記載のネットワーク接続機能を有した受信装置。
【請求項６】
前記制御手段では、前記受信手段で得られた番組信号を前記信号切換手段によって前記出力手段に供給するとき、前記受信手段で得られた番組信号が広告番組部分の終了となるまで、前記記録した番組信号の再生完了時の信号を番組信号として前記出力手段に供給する
ことを特徴とする請求項４記載のネットワーク接続機能を有した受信装置。
【発明の詳細な説明】
【０００１】
【発明の属する技術分野】
この発明は、ネットワーク利用時の番組出力方法及びネットワーク接続機能を有した受信装置に関する。詳しくは、ネットワークを介して情報入出力処理が開始されたときには、放送番組に代えて情報入出力処理に関する画像や音声の出力を行うと共に、放送番組から広告番組部分を除いて記録媒体に記録するものとし、情報入出力処理が終了したときには、記録媒体に記録した番組を再生して出力すると共に、記録した番組の再生が完了したときには、出力する番組を記録した番組から放送番組に切り換えるものである。
【０００２】
【従来の技術】
近年、ネットワーク例えばインターネットの普及に伴い、インターネットを介して種々の情報を提供するサービスが行われている。このインターネットを介した情報サービスを利用するため、コンピュータ装置を用いて情報閲覧用プログラムを実行させることにより、情報提供側に対して情報の送信要求を行うものとしたり、供給された情報をコンピュータ装置の画面上に表示することが行われている。さらに、供給された情報をハード・ディスク装置等に記憶させることも行われている。
【０００３】
また、コンピュータ装置を操作することができないような人でも、インターネットを介した情報サービスを利用できるように、例えばテレビジョン装置のような受信装置にネットワークへの接続機能を持たせて、このテレビジョン装置の画面上にＷＷＷ(World Wide Web)のホームページ画像を表示したり、電子メールの送受信を行い受信した電子メールの内容をテレビジョン装置の画面上に表示することが行われている。
【０００４】
【発明が解決しようとする課題】
ところで、番組の視聴中に番組に関する情報の提供先を示すＵＲＬ(Uniform Resource Locator)が画面上に表示されて、この情報提供先から情報を入手するものとした場合、番組の視聴を中断してＵＲＬの入力操作や入手した情報の把握等を行わなければならない。このように情報入手操作や情報の確認を行っているときには、番組の視聴が中断されてしまうことから、番組内容を把握できなくなってしまうおそれがある。
【０００５】
また、番組の視聴を中断しないように、コマーシャル期間中に情報の入手を行うものとしたときには、コマーシャル終了時に所望の情報の入手を完了していない場合があり、このような場合には、情報の入手処理を再度行う必要が生ずることから使い勝手が悪い。
【０００６】
そこで、この発明では、番組の視聴を中断して情報の入手や入手された情報の確認を行っても、視聴を中断した番組を中断位置から引き続き視聴できる番組再生方法及び受信装置を提供するものである。
【０００７】
【課題を解決するための手段】
この発明に係るネットワーク利用時の番組出力方法は、ネットワークを介して情報入出力処理が開始されたときには、放送番組に代えて情報入出力処理に関する画像や音声の出力を行うと共に、放送番組から広告番組部分を除いて記録媒体に記録するものとし、情報入出力処理が終了したときには、記録媒体に記録した番組を再生して出力すると共に、該記録した番組の再生が完了したときには、出力する番組を記録した番組から放送番組に切り換えるものである。
【０００８】
また、ネットワーク接続機能を有した受信装置は、放送信号を受信して番組信号を得る受信手段と、ネットワークとの接続を行うネットワーク接続手段と、番組信号から広告番組部分を除いて記録すると共に、記録された番組信号を再生する信号記録再生手段と、番組出力を行う出力手段と、出力手段に供給する信号の切り換えを行う信号切換手段と、ネットワーク接続手段と信号記録再生手段と信号切換手段の動作を制御する制御手段とを有し、制御手段では、ネットワーク接続手段を用いて情報入出力処理を開始したとき、信号切換手段によって、受信手段で得られた番組信号に代えて情報入出力処理に関する画像や音声の出力用信号を出力手段に供給すると共に、信号記録再生手段によって受信手段で得られた番組信号を記録するものとし、情報入出力処理が終了したとき、信号記録再生手段によって記録した番組信号を再生すると共に、該再生された番組信号を信号切換手段によって出力手段に供給すると共に、該記録した番組信号の再生が完了したときには、受信手段で得られた番組信号を信号切換手段によって出力手段に供給するものである。
【０００９】
この発明においては、例えばテレビジョン放送番組の視聴中に、インターネットを介して情報入出力処理が開始されたときには、インターネットを介して入手した情報を画像や音声で出力すると共に、放送番組が広告番組部分を除いて記録媒体に記録される。インターネットの利用が終了したときには、記録媒体に記録された番組が再生されると共に、記録された番組の再生が完了したときに、出力される番組が記録された番組から放送番組に切り換えられる。また、記録されている番組から放送番組への切換時に、広告番組部分の終了まで、予め設定された静止画像や記録された番組の再生完了時の画像が出力される。
【００１０】
【発明の実施の形態】
以下、図を参照しながら、この発明の実施の一形態について説明する。図１はネットワーク接続機能を有した受信装置、例えばインターネットに接続可能なテレビジョン装置の構成を示している。
【００１１】
アンテナ２１で放送信号を受信して得られた信号はチューナ部２２に供給される。なお、放送信号は、地上波放送だけでなく衛星放送の放送信号やケーブルテレビジョンからの配信番組の信号等であっても良い。チューナ部２２では、後述する動作制御部４０からバス５０を介して供給された選局制御信号ＣＴtuに基づいて所望のチャネルの信号を選択して中間周波信号ＩＦを生成する。この生成された中間周波信号ＩＦは信号処理部２３に供給される。
【００１２】
信号処理部２３では、供給された中間周波信号ＩＦの増幅や検波等を行いアナログの映像信号Ｓvと音声信号Ｓaを生成する。この生成された映像信号Ｓvと音声信号Ｓaは、ディジタル変換処理部２４と信号切換部２５に供給される。また、ディジタル変換処理部２４では、音声信号Ｓaがモノラル音声，ステレオ音声，二か国語音声のいずれの音声モードであるかを示す音声判別信号ＡＭwを生成して、動作制御部４０に供給する。
【００１３】
ディジタル変換処理部２４では、アナログの映像信号Ｓvから例えば輝度信号と色差信号で構成されるディジタルの画像信号ＤＷvを生成する。また、アナログの音声信号Ｓaをディジタルの音声信号ＤＷaに変換する。このディジタル変換処理部２４で得られた画像信号ＤＷvと音声信号ＤＷaは、バス５０を介して圧縮伸長処理部３１に供給される。
【００１４】
圧縮伸長処理部３１では、画像信号ＤＷvや音声信号ＤＷaに対して、例えばＭＰＥＧ(Moving Picture Experts Group)規格に基づく符号化を行い、画像符号化信号ＥＷvと音声符号化信号ＥＷaを生成する。この画像符号化信号ＥＷvと音声符号化信号ＥＷaは、バス５０を介してＨＤＤ(Hard Disk Drive)インタフェース部３２に供給される。また、圧縮伸長処理部３１では、ＨＤＤインタフェース部３２から画像符号化信号ＥＲvと音声符号化信号ＥＲaが供給されたときには、この画像符号化信号ＥＲvと音声符号化信号ＥＲaの復号化を行い画像信号ＤＲvと音声信号ＤＲaを生成する。この画像信号ＤＲvと音声信号ＤＲaはアナログ変換処理部３５に供給される。
【００１５】
ＨＤＤインタフェース部３２にはハード・ディスク装置（ＨＤＤ）３３が接続されており、圧縮伸長処理部３１から供給された画像符号化信号ＥＷvと音声符号化信号ＥＷaをハード・ディスク装置３３に記録する処理を行う。また、ハード・ディスク装置３３に記録された符号化信号を読み出す処理を行い、ハード・ディスク装置３３から読み出した画像符号化信号ＥＲvと音声符号化信号ＥＲaを圧縮伸長処理部３１に供給する。
【００１６】
アナログ変換処理部３５では、ディジタルの画像信号ＤＲvと音声信号ＤＲaをアナログの映像信号ＳＲvと音声信号ＳＲaに変換して、映像信号ＳＲvと音声信号ＳＲaを信号切換部２５に供給する。
【００１７】
信号切換部２５では、動作制御部４０からの切換制御信号ＣＴsに基づき信号処理部２３から供給された映像信号Ｓvと音声信号Ｓa、あるいはアナログ変換処理部３５から供給された映像信号ＳＲvと音声信号ＳＲaのいずれかを選択する。この信号切換部２５で選択された映像信号は、映像出力信号ＳＳvとして表示駆動部３６に供給される。また、信号切換部２５で選択された音声信号は、音声出力信号ＳＳaとして音声調整部３７に供給される。
【００１８】
表示駆動部３６では、映像出力信号ＳＳvに基づき表示駆動信号Ｐvを生成して画像出力部３８に供給することにより、画像出力部３８の画面上に映像出力信号ＳＳvに基づいた画像を表示する。
【００１９】
音声調整部３７では、音声出力信号ＳＳaの信号レベルを調整して音声出力部３９に供給することにより、音声出力信号ＳＳaに基づく音声を所望の音声レベルで出力する。
【００２０】
バス５０には、メモリ４１や操作部４２が接続されており、メモリ４１では後述するネットワーク接続部４５を介して入手した種々の情報を記憶する。また、操作部４２では、キー操作に応じた操作信号ＰＳkを生成して動作制御部４０に供給する。
【００２１】
さらに、バス５０には、ネットワークを介して情報の入出力を行うためのネットワーク接続部４５や、テレビジョン装置の機能等を拡張する拡張モジュール６０を接続するためのコネクタ４６が接続される。
【００２２】
ネットワーク接続部４５では、ネットワークを介して通信を行う際に、予め定められたプロトコルの信号に変換する処理を行う。例えば、インターネットを介して通信を行う場合には、ＴＣＰ／ＩＰプロトコルの信号としてネットワーク上の機器との通信を行う。また、ネットワーク接続部４５では、インターネットサービスプロバイダを介してネットワークと接続する場合、インターネットサービスプロバイダへの接続処理やインターネットサービスプロバイダとの認証処理等を行うと共に、電子メールの着信を検出したときには動作制御部４０に通知する。
【００２３】
動作制御部４０では、操作部４２からの操作信号ＰＳkに基づき、選局制御信号ＣＴtuを生成してチューナ部２２での選局動作を制御すると共に、切換制御信号ＣＴsを生成して信号切換部２５での切換動作を制御する。また、ネットワーク接続部４５を介した情報の入出力等を行う。更に、操作信号ＰＳkや音声判別信号ＡＭwに基づいて記録再生制御信号ＣＴrwを生成して、この記録再生制御信号ＣＴrwによって圧縮伸長処理部３１やＨＤＤインタフェース部３２及びハード・ディスク装置３３の動作を制御することにより、放送番組をハード・ディスク装置３３に記録したり、ハード・ディスク装置３３に記録されている番組の再生が行われる。
【００２４】
次に、ネットワーク利用時の動作について図２のフローチャートを用いて説明する。ステップＳＴ１で放送番組の視聴が開始されてステップＳＴ２に進むと、ステップＳＴ２では、ネットワーク利用操作が行われたか否かを判別する。ここで、ネットワーク利用操作が行われていないときにはステップＳＴ２に戻る。また、ネットワーク利用操作が行われたとき、すなわち所望の情報を入手するために情報提供先のＵＲＬの入力、例えば操作部４２からＵＲＬの文字を入力したり記憶されているＵＲＬのいずれかを選択する等によってＵＲＬが入力されて、この入力されたＵＲＬに対して情報の要求が行われるとステップＳＴ３に進む。
【００２５】
ステップＳＴ３では、ネットワーク利用を開始したことにより番組の視聴中断時間を示すタイマーＴＭaと、ネットワーク利用を開始してから番組中のコマーシャル部分の積算時間を示すタイマーＴＭbをリセットしてステップＳＴ４に進む。
【００２６】
ステップＳＴ４では、ネットワーク利用中であるか否かを判別し、ネットワーク利用中であるときにはステップＳＴ５に進む。また、ネットワーク利用が終了されるとステップＳＴ１１に進む。
【００２７】
ステップＳＴ５では、受信中の放送番組がコマーシャルＣＭであるか否かを判別する。すなわち、放送番組の視聴中に音声判別信号ＡＭwに基づいて、視聴している番組の音声信号がモノラル音声からステレオ音声に切り換えられたか、あるいは二か国語音声からステレオ音声に切り換えられたことにより放送番組がコマーシャルであるか否かを判別する。ここで、コマーシャルと判別されたないときにはステップＳＴ６に進み、コマーシャルと判別されたときにはステップＳＴ７に進む。
【００２８】
ステップＳＴ６では、受信中の番組の画像信号ＤＷvや音声信号ＤＷaを圧縮伸長処理部３１で符号化すると共にハード・ディスク装置３３に記録してステップＳＴ９に進む。
【００２９】
またステップＳＴ５で放送番組がコマーシャルと判別されてステップＳＴ７に進むと、ステップＳＴ７では、ハード・ディスク装置３３での番組の記録を停止してステップＳＴ８に進み、ステップＳＴ８でコマーシャルの積算時間を算出するためにタイマーＴＭbをカウントアップしてステップＳＴ９に進む。
【００３０】
ステップＳＴ６あるいはステップＳＴ８からステップＳＴ９に進むと、ステップＳＴ９では、ネットワーク利用による視聴中断時間を算出するためにタイマーＴＭaをカウントアップする。その後、ステップＳＴ１０に進み、ステップＳＴ１０でネットワーク利用画面表示、すなわちネットワーク利用によって入手した情報等を画像出力部３８に表示してステップＳＴ４に戻る。
【００３１】
このように、ネットワーク利用中は、放送番組がハード・ディスク装置３３に記録されると共に、タイマーＴＭaがカウントアップされて視聴中断時間が測定されて、ネットワークを利用して入手した種々の情報が画像出力部３８に表示される。また、ネットワーク利用中に放送番組がコマーシャルとされたときには、コマーシャル部分でハード・ディスク装置３３の記録動作が停止されると共に、タイマーＴＭbがカウントアップされて、コマーシャルの積算時間が測定される。
【００３２】
次に、ネットワーク利用が終了されてステップＳＴ４からステップＳＴ１１に進むと、ステップＳＴ１１では、タイマーＴＭaとタイマーＴＭbのカウント値が等しいか否かが判別される。ここで、タイマーＴＭaのカウント値がタイマーＴＭbのカウント値と等しくないとき、すなわちネットワーク利用による視聴中断時間がコマーシャルの積算時間と等しくないときにはステップＳＴ１２に進み、等しいときにはステップＳＴ１８に進む。
【００３３】
ステップＳＴ１２では、受信している放送番組がコマーシャルであるか否かを上述したように音声判別信号ＡＭwに基づいて判別する。ここで、コマーシャルであると判別されたときには、ステップＳＴ１３に進み、コマーシャルの積算時間を算出するためにタイマーＴＭbをカウントアップしてステップＳＴ１４に進む。またコマーシャルでないときにはステップＳＴ１２からステップＳＴ１４に進む。
【００３４】
ステップＳＴ１４では、ハード・ディスク装置３３に記録されている番組を再生できるタイミングであるか否かを判別する。ハード・ディスク装置３３では、動作割当期間であるタイムスロットが設定されており、符号化データの記録及び再生が割り当てられたタイムスロットで行われて、放送番組を順次記録しながら記録されている番組を再生することができる。例えば１フレーム期間に対して複数のタイムスロットが設定されて、１つのタイムスロットで１フレーム期間分の符号化データを記録すると共に、記録されている番組の１フレーム期間分の符号化データを、符号化データの記録とは異なるタイムスロットで読み出すことにより、番組を記録しながら記録されている番組を読み出すことができる。このステップＳＴ１４で、記録されている符号化データを読み出すタイムスロットのタイミングであると判別されないときにはステップＳＴ１５に進み、符号化データを読み出すタイムスロットのタイミングであると判別されたときにはステップＳＴ１７に進む。
【００３５】
ステップＳＴ１５では、受信されている放送番組がコマーシャルであるか否かを判別し、コマーシャルでないと判別したときにはステップＳＴ１６に進み、番組をハード・ディスク装置３３に記録してステップＳＴ１１に戻る。また、コマーシャルであると判別したときにはステップＳＴ１７に進む。
【００３６】
ステップＳＴ１４あるいはステップＳＴ１５からステップＳＴ１７に進むと、ステップＳＴ１７では、ハード・ディスク装置３３に記録した番組を順次再生して、ネットワーク利用の開始によって視聴が中断された位置から番組の映像を画像出力部３８に表示すると共に、音声を音声出力部３９から出力してステップＳＴ１１に戻る。
【００３７】
その後、放送番組のコマーシャル部分でタイマーＴＭbのカウント値が増加して、タイマーＴＭaのカウント値と等しくなると、すなわちコマーシャルの積算時間が視聴中断時間と等しくなるとステップＳＴ１１からステップＳＴ１８に進む。
【００３８】
ステップＳＴ１８では、信号切換部２５で選択される信号を、ハード・ディスク装置３３から読み出した番組の映像信号ＳＲvと音声信号ＳＲaから、受信されている放送番組の映像信号Ｓvと音声信号Ｓaに切換制御信号ＣＴsによって切り換えて、画像出力部３８及び音声出力部３９からの出力を受信した番組の画像や音声に切り換える。
【００３９】
図３はネットワーク利用時の動作を説明するための図である。図３Ａに示す放送番組「Ａ」を視聴中に時点ｔ1でネットワーク利用を開始したときには、図３Ｂに示すように受信中の放送番組「Ａ」が時点ｔ1からハード・ディスク装置３３に記録されると共に、画像出力部３８や音声出力部３９から出力される番組として、図３Ｃに示すようにネットワーク利用によって得られた情報の出力が行われる。また、ネットワークの利用が開始されたことにより、視聴中断時間を示すタイマーＴＭaのカウント値は、図３Ｄの実線で示すように時間の経過と共に増加する。
【００４０】
受信されている放送番組が時点ｔ2でコマーシャル「ＣＭ」となると、ハード・ディスク装置３３の記録動作が停止されると共に、コマーシャルの積算時間を示すタイマーＴＭbのカウント値は、コマーシャルの期間中、図３Ｄの破線で示すように時間の経過と共に増加する。
【００４１】
時点ｔ3でコマーシャル「ＣＭ」が終了すると、ハード・ディスク装置での記録動作が開始されて、次の放送番組「Ｂ」の記録が開始されると共に、タイマーＴＭbのカウント値の増加が停止される。
【００４２】
時点ｔ4で、ネットワーク利用が停止されると、ハード・ディスク装置３３に記録されている番組が読み出されて、視聴の中断位置から番組「Ａ」の出力が行われる。その後、時点ｔ5〜t6，時点ｔ7〜t8，時点ｔ9〜時点ｔ11で放送番組がコマーシャル「ＣＭ」となるとハード・ディスク装置３３での記録動作が停止されて、ハード・ディスク装置３３にはコマーシャルを除いた放送番組が記録される。
【００４３】
また、放送番組がコマーシャル「ＣＭ」であるときにタイマーＴＭbのカウント値が増加されて、例えば時点ｔ10でタイマーＴＭbのカウント値がタイマーＴＭaのカウント値と等しくなる、すなわち時点ｔ10でコマーシャルの積算時間が視聴中断時間と等しくなる。このとき、出力番組がハード・ディスク装置３３に記録されている番組「Ｄ」から受信中の放送番組に切り換えられるので、放送番組の視聴中にネットワークを利用しても、ネットワーク利用期間中の放送番組を見損なうことなく、ネットワーク利用後に続けて視聴することができる。
【００４４】
また、出力される番組の切換がコマーシャルの期間中に行われるので、ドラマや映画等の番組途中で切り換えが行われることがなく、良好にこれらの番組を楽しむことができる。
【００４５】
さらに、出力番組の切換において、タイマーＴＭbのカウント値がタイマーＴＭaのカウント値と等しくなった時点ｔ10からコマーシャルが終了する時点ｔ11までの期間中は、予め設定した静止画像を表示すれば、番組の切換によってコマーシャルが不自然に出力されてしまうことを防止できる。
【００４６】
また、ハード・ディスク装置３３に記録されている番組から放送番組に切り換える際に、カウント値が等しくなったときの出力画像をメモリに記憶させて静止画表示とし、コマーシャルが終了する時点ｔ11で静止画表示から放送番組「Ｅ」に切り換えるものとしても良い。この場合には、コマーシャルの画像を出力することなく、ハード・ディスク装置３３に記録されている番組から放送番組に切り換えることができる。
【００４７】
このように、上述の実施の形態によれば、ネットワーク利用中の番組が記録媒体に記録されると共に、ネットワーク利用終了時には、記録された番組が再生されるので、番組視聴中にネットワークを介して情報の入手操作等を行っても、ネットワーク利用終了後に、中断位置から引き続き番組を視聴することができる。また、コマーシャル部分が除かれて番組が記録されて、再生位置が放送番組に追いついたときには、出力される番組が放送番組に切り換えられるので、記録媒体に放送番組が引き続き記録する必要が無くなり、動作制御を簡単とすることができる。また、記録媒体での記録可能領域が少なくなってしまうことも防止できる。
【００４８】
なお、上述の実施の形態では、受信装置としてネットワーク接続機能を有したテレビジョン装置について説明したが、受信装置はテレビジョン装置に限られるものではなく、ネットワーク接続機能を有したセットトップボックス等であっても良い。
【００４９】
【発明の効果】
この発明によれば、ネットワークを介して情報入出力処理が開始されたときには、放送番組に代えて情報入出力処理に関する画像や音声の出力が行われると共に、放送番組から広告番組部分が除かれて記録媒体に記録されて、情報入出力処理が終了したとき、記録媒体に記録した番組が再生されて出力されると共に、記録した番組の再生が完了したときには、出力する番組が記録した番組から放送番組に切り換えられる。このため、放送番組の視聴中にネットワークを介して情報の入出力処理を行っても、ネットワーク利用期間中の放送番組を見損なうことなく、ネットワーク利用後に続けて視聴することができる。
【００５０】
また、放送番組に切り換えたときに、放送番組の広告番組部分が終了するまで予め設定した静止画像が出力されるので、コマーシャルが不自然に出力されてしまうことを防止できる。さらに、放送番組に切り換えたときに、放送番組の広告番組部分が終了するまで、記録した番組の再生完了時の画像が出力されるので、コマーシャルの画像を出力することなく放送番組に切り換えることができる。
【図面の簡単な説明】
【図１】ネットワーク接続機能を有した受信装置の構成を示す図である。
【図２】ネットワーク利用時の動作を示すフローチャートである。
【図３】ネットワーク利用時の動作を説明するための図である。
【符号の説明】
２１  アンテナ
２２  チューナ部
２３  信号処理部
２４  ディジタル変換処理部
２５  信号切換部
３１  圧縮伸長処理部
３２  ＨＤＤインタフェース部
３３  ハード・ディスク装置（ＨＤＤ）
３５  アナログ変換処理部
３６  表示駆動部
３７  音声調整部
３８  画像出力部
３９  音声出力部
４０  動作制御部
４１  メモリ
４２  操作部
４５  ネットワーク接続部
５０  バス
【図１】
0004403667.tif 000002
【図２】
0004403667.tif 000003
【図３】
0004403667.tif 000004